(57)【要約】【課題】点検規制モードを解除してバッテリ26による点灯確認ができる防災用照明器具12を提供する。【解決手段】バッテリ26でランプ22を点灯させて点検する。施工時にバッテリ26を電気的に接続した後には、バッテリ26を所定時間継続して充電するとともにこの継続充電中における点検を規制する点検規制モードとなる。点検規制モードの状態でも、操作部28の操作により点検規制モードを解除でき、バッテリ26による点灯確認ができる。【選択図】図１
2008135212.tif 000002
【特許請求の範囲】
【請求項１】
光源と；
充電可能な非常用電源と；
非常用電源で光源を点灯させる点検を指令する点検指令手段と；
非常時および点検時に非常用電源にて光源を点灯させ、少なくとも非常用電源の接続後に非常用電源を所定時間継続して充電するとともにこの継続充電中における点検を規制する点検規制モードを有する点灯ユニットと；
点検規制モードを解除させる解除指令手段と；
を具備していることを特徴とする防災用照明器具。
【請求項２】
非常用電源を急速充電させる急速充電指令手段を具備している
ことを特徴とする請求項１記載の防災用照明器具。
【請求項３】
光源と、充電可能な非常用電源と、非常点灯指令および点検指令により非常用電源にて光源を点灯させ、少なくとも非常用電源の接続後に非常用電源を所定時間継続して充電するとともにこの継続充電中における点検を規制する点検規制モードを有する点灯ユニットと、外部と通信する通信部とを有し、外部からの点検規制モード解除指令の受信により点検規制モードを解除して点検を可能とする防災用照明器具と；
防災用照明器具の点検規制モードを解除させる点検規制モード解除を指令する操作部を有し、防災用照明器具と通信し、操作部による点検規制モード解除の指令により防災用照明器具に対して点検規制モード解除指令を送信する制御装置と；
を具備していることを特徴とする防災用照明システム。
【請求項４】
防災用照明器具は、制御装置またはリモコン送信機からの急速充電指令の受信により非常用電源を急速充電させる
ことを特徴とする請求項３記載の防災用照明システム。
【発明の詳細な説明】
【技術分野】
【０００１】
本発明は、誘導灯や非常灯などの防災用照明器具および防災用照明システムに関する。
【背景技術】
【０００２】
従来、誘導灯や非常灯など、通常時は商用電源によりランプを点灯させ、非常時には内蔵した二次電池である非常用電源に切り換えてランプを点灯させる防災用照明器具が知られている。そして、このような防災用照明器具において、人為的な操作により強制的に非常用電源に切り換えてランプを点灯させ、ランプや非常用電源などの良否の状態を判断し、防災用照明器具の表示部に表示可能な構成が知られている。
【０００３】
さらに、このような防災用照明器具において、複数の防災用照明器具を制御装置と通信可能とし、制御装置から各防災用照明器具に点検指令を送信し、各防災用照明器具が非常用電源でランプを一定時間点灯させる点検モード動作を行い、制御装置が各防災用照明器具の状態を監視して履歴を記録する防災用照明システムが知られている（例えば、特許文献１参照。）。
【０００４】
また、防災用照明器具では、非常点灯に対応できるようにするためや正確に点検ができるようにするために、非常用電源の放電後や防災用照明器具の施工時または非常用電源の交換時に非常用電源を接続したときなどに、非常用電源を所定時間継続して充電するとともにこの継続充電中における点検を規制する点検規制モードを実行している。充電の継続時間は、例えば誘導灯の場合で２４時間程度、非常灯の場合で４８時間程度としている。
【特許文献１】特開２００５−１８２６６１号公報（第８−９頁、図１(b)、図５−８）
【発明の開示】
【発明が解決しようとする課題】
【０００５】
しかしながら、防災用照明器具の施工時や非常用電源の交換時に、十分に充電されている非常用電源を接続した場合でも、防災用照明器具は点検規制モードとなるため、施工後や交換後に直ぐに非常用電源による点灯確認をしたくてもできず、点検規制モードが完了するまで待たなければならない問題がある。
【０００６】
本発明は、このような点に鑑みなされたもので、点検規制モードを解除して非常用電源による点灯確認ができる防災用照明器具および防災用照明システムを提供することを目的とする。
【課題を解決するための手段】
【０００７】
請求項１記載の防災用照明器具は、光源と；充電可能な非常用電源と；非常用電源で光源を点灯させる点検を指令する点検指令手段と；非常時および点検時に非常用電源にて光源を点灯させ、少なくとも非常用電源の接続後に非常用電源を所定時間継続して充電するとともにこの継続充電中における点検を規制する点検規制モードを有する点灯ユニットと；点検規制モードを解除させる解除指令手段と；を具備しているものである。
【０００８】
防災用照明器具は、例えば、誘導灯、非常灯などがある。
【０００９】
光源は、例えば、蛍光ランプ、白熱電球、発光ダイオードなどがある。
【００１０】
非常用電源は、例えば、充電可能な二次電池がある。
【００１１】
点検指令手段は、例えば、防災用照明器具の外面に臨ませて設けたスイッチや、リモコン送信機およびこのリモコン送信機からの信号を受信する防災用照明器具の外面に臨ませて設けたリモコン受信部などがある。
【００１２】
非常時とは、例えば、商用電源などの通常電源の停電時や、火災報知器からの信号の入力時などである。
【００１３】
点灯ユニットは、商用電源などの通常電源と非常用電源とのいずれの電力でも光源を点灯でき、非常時および点検時に通常電源から非常用電源に切り換えて光源を点灯可能とする。
【００１４】
解除指令手段は、例えば、点検指令手段と同様に、スイッチや、リモコンおよびリモコン受信部などが用いられ、所定の操作によって点検規制モードを解除させることが可能となる。
【００１５】
そして、防災用照明器具が点検規制モードの状態にあっても、解除指令手段により点検規制モードを解除させれば、非常用電源による点灯確認を可能とする。
【００１６】
請求項２記載の防災用照明器具は、請求項１記載の防災用照明器具において、非常用電源を急速充電させる急速充電指令手段を具備しているものである。
【００１７】
急速充電では、例えば、非常用電源を充電する電流を増加させる。
【００１８】
そして、点検規制モードを解除しての点検によって充電が中断された非常用電源を急速充電によって早期に充電完了させる。
【００１９】
請求項３記載の防災用照明システムは、光源と、充電可能な非常用電源と、非常点灯指令および点検指令により非常用電源にて光源を点灯させ、少なくとも非常用電源の接続後に非常用電源を所定時間継続して充電するとともにこの継続充電中における点検を規制する点検規制モードを有する点灯ユニットと、外部と通信する通信部とを有し、外部からの点検規制モード解除指令の受信により点検規制モードを解除して点検を可能とする防災用照明器具と；防災用照明器具の点検規制モードを解除させる点検規制モード解除を指令する操作部を有し、防災用照明器具と通信し、操作部による点検規制モード解除の指令により防災用照明器具に対して点検規制モード解除指令を送信する制御装置と；を具備しているものである。
【００２０】
防災用照明器具の通信部は、例えば、有線、無線などの通信媒体を通じて制御装置と通信可能とする。
【００２１】
制御装置は、例えば、複数の防災用照明器具と互いに通信可能とし、各防災用照明器具の状態を監視して履歴を記録するなどの制御を行う。
【００２２】
そして、防災用照明器具が点検規制モードの状態にあっても、制御装置の操作部で点検規制モードの解除を指令することにより、防災用照明器具の点検規制モードを解除させ、非常用電源による点灯確認を可能とする。
【００２３】
請求項４記載の防災用照明システムは、請求項３記載の防災用照明システムにおいて、防災用照明器具は、制御装置またはリモコン送信機からの急速充電指令の受信により非常用電源を急速充電させるものである。
【００２４】
そして、点検規制モードを解除しての点検によって充電が中断された非常用電源を急速充電によって早期に充電完了させる。
【発明の効果】
【００２５】
請求項１記載の防災用照明器具によれば、非常用電源を所定時間継続して充電するとともにこの継続充電中における点検を規制する点検規制モードの状態にあっても、解除指令手段により点検規制モードを解除させることができるため、例えば施工後に直ぐに非常用電源による点灯確認ができ、点検モード動作が正常に機能するか否かの簡易的な確認を行うことができる。
【００２６】
請求項２記載の防災用照明器具によれば、請求項１記載の防災用照明器具の効果に加えて、急速充電指令手段により非常用電源を急速充電させることができ、点検規制モードを解除しての点検によって充電が中断された非常用電源を早期に充電完了させることができる。
【００２７】
請求項３記載の防災用照明システムによれば、防災用照明器具が非常用電源を所定時間継続して充電するとともにこの継続充電中における点検を規制する点検規制モードの状態にあっても、制御装置の操作部で点検規制モードの解除を指令することにより、防災用照明器具の点検規制モードを解除させることができるため、例えば防災用照明器具の施工後に直ぐに非常用電源による点灯確認ができる。
【００２８】
請求項４記載の防災用照明システムによれば、請求項３記載の防災用照明システムの効果に加えて、制御装置またはリモコン送信機による急速充電の指令により、防災用照明器具の非常用電源を急速充電させることができ、点検規制モードを解除しての点検によって充電が中断された非常用電源を早期に充電完了させることができる。
【発明を実施するための最良の形態】
【００２９】
以下、本発明の一実施の形態を図面を参照して説明する。
【００３０】
図１は防災用照明システムの構成図である。
【００３１】
図１において、11は防災用照明システムで、この防災用照明システム11は、例えば建築物などの施設に設置されるものであり、端末である誘導灯12aや非常灯12bなどの複数の防災用照明器具12と、これら複数の防災用照明器具12と通信手段としての通信線13を介して通信可能とする複数の制御装置14とを備えている。各制御装置14には通信線15を介して自動火災報知設備16が接続されている。複数の制御装置14はＬＡＮケーブルなどの通信線17および接続切換用のハブ18などを介してサーバ19に接続されている。
【００３２】
そして、誘導灯12aは、四角状の器具本体21の片面または両面に透光性を有する表示板が配置され、この表示板を光源としてのランプ22で照明する。
【００３３】
器具本体21内には、電源部23からの電源供給によりランプ22を点灯させる点灯ユニット24が配設されている。
【００３４】
電源部23は、電源線25が接続されて商用交流１００Ｖ電源などの通常電源を点灯ユニット24に供給するとともに、非常用電源としてのバッテリ26を備え、このバッテリ26からの非常用電源を点灯ユニット24に供給したりバッテリ26を通常電源で充電する。
【００３５】
点灯ユニット24は、通常用と非常用との兼用ユニットであり、通常電源あるいはバッテリ26の電力でランプ22を点灯させる。すなわち、基本的には通常時に、電源線25を介して供給される通常電源の電力で、ランプ22を常時点灯させるとともに、バッテリ26を充電し、通常電源の停電を検出すると、バッテリ26の電力でランプ22を点灯させる。
【００３６】
点灯ユニット24は、通信線13が接続される通信部27を通じて制御装置14と通信可能としている。また、点灯ユニット24には、手動操作する押しボタンスイッチなどを用いた操作部28、ランプ22の異常時およびバッテリ26の異常時などに点灯して状態を報知する発光ダイオード素子などを用いた表示部29、リモコン送信機30からの指令信号を受信したり必要に応じて情報を送信するリモコン送受信部31が接続されている。
【００３７】
操作部28およびリモコン送信機30は、バッテリ26の電力でランプ22を点灯させる点検モードを指令する点検指令手段32、点検規制モードを解除させる解除指令手段33、バッテリ26を急速充電させる急速充電指令手段34として構成されている。これらの指令は、操作部28の場合、例えば所定時間以上継続して押し続けるなどの所定操作によって可能とし、また、リモコン送信機30の場合、特定のボタンの順番や同時操作などの所定操作によって可能としている。
【００３８】
そして、点灯ユニット24は、図示していないが、通常電源またはバッテリ26の電力でランプ22を点灯させる点灯回路、通常電源の停電を検出する停電検出部、点灯回路を制御したり通信部27を通じて制御装置14と通信する制御部、防災用照明器具12の固有のアドレスや防災用照明器具12の状態などを記憶する記憶部などを備えている。
【００３９】
点灯ユニット24の制御部は、制御装置14からの点検指令を受信して自動的に点検モードに移行して点検動作する機能、バッテリ26の放電後や施工時や交換時にバッテリ26を接続した後に、非常用電源を所定時間継続して充電するとともにこの継続充電中における点検を規制する点検規制モードの機能、制御装置14からの点検規制モード解除指令を受信して点検規制モードを解除する機能、制御装置14からの急速充電指令を受信してバッテリ26を急速充電する機能を有している。
【００４０】
また、非常灯12bは、非常時に非常用電源でハロゲンランプなどの光源を点灯させて通路や部屋を照明するもので、基本的な機能は誘導灯12aと同様である。
【００４１】
また、制御装置14は、筐体41を備え、この筐体41内には、電源部42からの電源供給により動作する制御部43が配設されている。
【００４２】
電源部42は、電源線25が接続されて商用交流１００Ｖ電源などの通常電源を制御部43などに供給するとともに、非常用電源としてのバッテリを備え、このバッテリからの非常用電源を制御部43などに供給したりバッテリを通常電源で充電する。
【００４３】
制御部43は、通信線13が接続される通信部44を通じて誘導灯12aや非常灯12bと通信可能とし、通信によって取得された誘導灯12aや非常灯12bの状態の履歴を記憶する記憶部45が接続されている。また、制御部43には、自動火災報知設備16との通信線15が接続される接点入力部46、例えばパトライトなどを制御する接点出力部47、サーバ19との通信線17が接続されるＬＡＮ端子部48などが接続されている。
【００４４】
筐体41の前面には、制御部43に接続されている表示部49および操作部50が配設されている。表示部49では、誘導灯12aや非常灯12bのアドレスや状態などを表示する。また、操作部50は、例えば、押しボタン式のスイッチなどを備え、誘導灯12aや非常灯12bの選択および選択した誘導灯12aや非常灯12bへの操作が可能になっている。この操作部50では、誘導灯12aや非常灯12bの点検規制モードを強制的に解除させる点検規制モード解除の指令や、誘導灯12aや非常灯12bのバッテリ26を急速充電させる指令が可能となっている。
【００４５】
そして、制御装置14の制御部43は、通信線13を介して接続された誘導灯12aや非常灯12bについて、常時異常の監視を行うとともに、予め設定されたスケジュールに従い、あるいは手動操作により、誘導灯12aや非常灯12bに点検指令を送信して自動的かつ順番に週間点検、定期点検などの点検を行わせ、点検結果を含む状態の情報を取得して記憶部45に履歴情報として記録するとともに、異常があれば表示部49に表示する機能を有している。
【００４６】
また、制御部43は、操作部50の操作による点検規制モード解除の指令により指定された誘導灯12aや非常灯12bに対して点検規制モード解除指令を送信したり、操作部50による急速充電の指令により指定された誘導灯12aや非常灯12bに対して急速充電指令を送信する機能を有している。
【００４７】
次に、防災用照明システム11の動作を説明する。
【００４８】
制御装置14の指令により、誘導灯12aや非常灯12bの動作モードが通常モードと点検モードとに切り換えられる。
【００４９】
例えば誘導灯12aが通常モードの場合、通常電源が正常な状態では、点灯ユニット24は通常電源の電力でランプ22を点灯させるとともにバッテリ26を充電させ、また、通常電源が停電したときには、点灯ユニット24はバッテリ26の電力でランプ22を点灯させる。
【００５０】
制御装置14は予め設定されたスケジュールに従って点検指令を該当の誘導灯12aや非常灯12bに送信し、この点検指令を受信した誘導灯12aや非常灯12bが通常モードから点検モードに移行する。
【００５１】
例えば誘導灯12aが点検モードに移行した場合、規定の時間だけ、正常な通常電源から点灯ユニット24を切り離し、バッテリ26の電力でランプ22をいわば非常点灯させ、バッテリ26の寿命判定や点灯ユニット24の動作を確認する。確認した点検結果は誘導灯12aから制御装置14に送信し、この制御装置14では誘導灯12aの履歴として記録する。なお、規定の時間は、週間点検では、１分間など短時間の非常点灯で、ランプ22の異常および寿命、バッテリ26の異常および寿命、点灯ユニット24の異常を監視する。また、定期点検では、２０分あるいは６０分などの定格時間だけ非常点灯を行い、バッテリ26の放電による電池容量を確認する。そして、誘導灯12aでは、点検モードの完了後に通常モードに復帰する。
【００５２】
なお、誘導灯12aや非常灯12bは、操作部28を直接操作することにより、単独でも点検モードに移行可能であり、また、点検の結果を制御装置14に送信したり表示部29に表示することができる。
【００５３】
また、誘導灯12aや非常灯12bの施工時にバッテリ26を電気的に接続した後、あるいはバッテリ26の交換時に新しいバッテリ26を電気的に接続した後には、点灯ユニット24は、点検規制モードの状態となり、バッテリ26を所定時間継続して充電するとともにこの継続充電中における点検を規制する。継続充電の継続時間は、誘導灯12aの場合で２４時間程度、非常灯12bの場合で４８時間程度としている。
【００５４】
誘導灯12aや非常灯12bが点検規制モードの状態にあっても、バッテリ26による点灯確認をしたい場合には、誘導灯12aや非常灯12bの操作部28を所定操作したり、リモコン送信機30を所定操作することにより、点検規制モードを強制的に解除させ、上述した点検モードに移行させる。そのため、誘導灯12aや非常灯12bの施工後やバッテリ26の交換後に、直ぐにバッテリ26による点灯確認ができる。
【００５５】
また、バッテリ26による点灯確認をすることで、バッテリ26の充電を中断させたうえに電力を消費させてしまっているために、迅速に充電させたい場合には、誘導灯12aや非常灯12bの操作部28を所定操作したり、リモコン送信機30を所定操作することにより、点検モードを強制的に解除させ、バッテリ26を急速充電させる急速充電モードに移行させる。そのため、点検規制モードを解除しての点検によって充電が中断されたバッテリ26を早期に充電完了させ、停電の発生などの非常時に待機させることができる。
【００５６】
このように、誘導灯12a自体や非常灯12b自体で点検規制モードを解除してのバッテリ26による点灯確認ができるが、制御装置14でも点検規制モードを解除してのバッテリ26による点灯確認ができ、点検モード動作が正常に機能するか否かの簡易的な確認を行うことができる。
【００５７】
すなわち、制御装置14の操作部50で、バッテリ26による点灯確認がしたい誘導灯12aや非常灯12bを個別または一括指定するとともに、点検規制モードの解除を指令することにより、制御装置14から該当する誘導灯12aや非常灯12bに点灯規制モード解除指令を送信する。該当する誘導灯12aや非常灯12bでは点灯規制モード解除指令を受信し、点検規制モードを強制的に解除させ、上述した点検モードに移行させる。そのため、誘導灯12aや非常灯12bの施工後やバッテリ26の交換後に、直ぐにバッテリ26による点灯確認ができる。
【００５８】
さらに、バッテリ26による点灯確認をすることで、バッテリ26の充電を中断させたうえに電力を消費させてしまっているために、迅速に充電させたい場合には、制御装置14の操作部50で、バッテリ26を急速充電させたい誘導灯12aや非常灯12bを個別または一括指定するとともに（なお、継続操作する場合には指定が継続されるために指定しなくてもよい）、急速充電モードを指令することにより、制御装置14から該当する誘導灯12aや非常灯12bに急速充電指令を送信する。該当する誘導灯12aや非常灯12bでは急速充電指令を受信することにより、点検モードを強制的に解除させ、バッテリ26を急速充電させる急速充電モードに移行させる。そのため、点検規制モードを解除しての点検によって充電が中断されたバッテリ26を早期に充電完了させ、停電の発生などの非常時に待機させることができる。
【００５９】
また、誘導灯12aや非常灯12bでの点検規制モードの解除や急速充電モードの実行などは、制御装置14の記憶部45に履歴として記憶する。そして、この点検規制モードの解除や急速充電モードの実行によって得られる点検結果は、通常の点検とは異なるイレギュラーとして記憶または表示されるようになっている。これにより、定期的な点検結果確認において、正規の点検結果と混同や誤認識しないようになっており、点検結果の信頼性を低下させることなくシステムの利便性が向上する。
【図面の簡単な説明】
【００６０】
【図１】本発明の一実施の形態を示す防災用照明システムの構成図である。
【符号の説明】
【００６１】
11    防災用照明システム
12    防災用照明器具
14    制御装置
22    光源としてのランプ
24    点灯ユニット
26    非常用電源としてのバッテリ
27    通信部
30    リモコン送信機
32    点検指令手段
33    解除指令手段
34    急速充電指令手段
50    操作部
【図１】
2008135212.tif 000003